(57)【要約】【課題】所定の相手に、結婚式の様子を適切に配信する。【解決手段】婚礼に関連する催事の様子を配信するシステム１００において、カメラ１０は、催事の様子を撮影する。サーバ２０は、撮像部１０により撮影された映像ＭＯＶを少なくとも一時的に格納する。端末４０は、サーバ２０とネットワーク３０を介して接続される。クライアント端末４０は、新郎新婦５０から送付される電子的な招待状である電子メールＭＡＩＬを受け取った参加者５２により使用される。サーバ２０は、電子メールＭＡＩＬに記載されたＩＤおよびパスワードを保持しており、端末４０によってアクセスされると、ＩＤおよびパスワードの入力を促し、端末４０から入力されたＩＤおよびパスワードそれぞれが、保持していたＩＤおよびパスワードと一致すると、端末にアクセスを許可し、映像ＭＯＶを端末４０に対してリアルタイムで配信する。【選択図】図１
2008017350.tif 000002
【特許請求の範囲】
【請求項１】
婚礼に関連する催事の様子を配信するシステムであって、
前記催事の様子を撮影する撮像部と、
前記撮像部により撮影された映像を少なくとも一時的に格納するサーバと、
前記サーバとネットワークを介して接続され、婚礼の主催者から送付される電子的な、もしくは有体物として形成された招待状を受け取った参加者により使用される端末と、
を備え、
前記サーバは、前記招待状に記載された識別情報およびパスワードを保持しており、前記端末によってアクセスされると、識別情報およびパスワードの入力を促し、前記参加者により使用される端末から入力された識別情報およびパスワードそれぞれが、サーバが保持していた識別情報およびパスワードと一致すると、前記端末にアクセスを許可し、前記映像を前記端末に対してリアルタイムで配信することを特徴とする映像配信システム。
【請求項２】
前記サーバは、
前記参加者のメッセージを格納するための記憶領域を含み、
アクセスを許可した前記参加者により使用される端末に対して、電子的なメッセージの送信を許可し、送信されたメッセージを前記記憶領域に格納することを特徴とする請求項１に記載の映像配信システム。
【請求項３】
前記サーバは、
アクセスを許可した前記参加者により使用される端末を、入力された識別情報をもとに、複数のグループに分類する判定部をさらに含み、
メッセージをグループごとに分類して前記記憶領域に格納するとともに、同一のグループに分類された端末に対して、そのグループに対応するメッセージへのアクセスを許可することを特徴とする請求項２に記載の映像配信システム。
【請求項４】
前記サーバは、前記撮影された映像を格納し、
前記催事の後に、前記参加者により使用される端末によりアクセスされると、識別情報およびパスワードの入力を促し、前記参加者により使用される端末から入力された識別情報およびパスワードそれぞれが、保持していた識別情報およびパスワードと一致すると、前記端末にアクセスを許可し、
前記端末からの指示にもとづいて、前記撮影された映像をオンデマンドで配信することを特徴とする請求項１から３のいずれかに記載の映像配信システム。
【請求項５】
これから婚礼が予定されている将来の主催者により使用される端末をさらに備え、
前記サーバの記憶領域は、前記撮影された映像であって、前記主催者からの許可が得られたものを、当該映像に写る事物に対する付加的な情報を電子的に付与した状態にて、複数、蓄積して格納し、
前記サーバは、前記将来の主催者であって、所定のアクセス権を有する者により利用される端末に対して、蓄積された映像へのアクセスを許可し、
前記将来の主催者により使用される端末は、蓄積された映像を再生するとともに、その映像に付与された付加的な情報を表示し、前記将来の主催者に対して、催事の料金に影響する項目について、いくつかの選択肢を表示し、選択された選択肢にもとづき、前記将来の主催者が希望する形式に対応する催事の費用の見積もりを算出して表示することを特徴とする請求項１から４のいずれかに記載の映像配信システム。
【請求項６】
婚礼に関連する催事の映像配信方法であって、
所定のメンバーに、電子的あるいは有体物として形成された招待状を送付するステップと、
前記催事の様子を映像としてネットワークに接続されたサーバに格納するステップと、
前記招待状を受けたメンバーが、前記招待状に記載された情報にもとづき、ネットワークを通じて前記サーバにアクセスし、格納された映像を取得し、前記催事の様子をリアルタイムにて視聴するステップと、
を備えることを特徴とする方法。
【発明の詳細な説明】
【技術分野】
【０００１】
本発明は、コンテンツ配信技術に関し、特に結婚式などの催事の映像配信技術に関する。
【背景技術】
【０００２】
人生の晴れ舞台である結婚式や披露宴などの婚礼に関連する催事（以下、単に結婚式等という）は、なるべく多くの親族、知人等に祝福を受けたいという要望がある反面、料金的、時間的な制約から、実際に招待できる人数は限られてしまう。その結果、最終的に招待するのは、親族、ごく親しい友人や、会社の上司などに限定されてしまうのが実情である。
【０００３】
また、招待したい相手が、結婚式の当日に式場から遠隔の地にいなければならず、参加できないという状況や、時間的に都合がつかないといった状況も往々にして発生する。
【０００４】
現状では、実際に結婚式に参加しなかった人、参加できなかった人たちに、結婚式の様子を伝えたい場合、ビデオレコーダなどによって結婚式の様子を撮影し、撮影された映像を後日視聴することができる程度である。なお、特許文献１には、ネットワークを介してコンテンツを作成、配信するため技術が開示されている。
【特許文献１】特開２００３−３０１８２号公報
【発明の開示】
【発明が解決しようとする課題】
【０００５】
しかしながら、結婚式の様子をビデオレコーダで撮影した場合、事後的に結婚式の様子を見ているにすぎず、結婚式に「参加する」といった感覚を得るには至らない。また、撮影された映像をみるだけでは一方的であって、祝福のメッセージを、リアルタイムで新郎や新婦に対して伝えることができないといった問題もある。
【０００６】
本発明はこうした課題に鑑みてなされたものであり、その目的は、結婚式の様子を適切に配信することにある。
【課題を解決するための手段】
【０００７】
本発明のある態様によれば、婚礼に関連する催事（すなわちイベント）の様子を配信するシステムが提供される。この映像配信システムは、催事の様子を撮影する撮像部と、撮像部により撮影された映像を少なくとも一時的に格納するサーバと、サーバとネットワークを介して接続され、婚礼の主催者から送付される電子的な、もしくは有体物として形成された招待状を受け取った参加者により使用される端末と、を備える。サーバは、招待状に記載された識別情報およびパスワードを保持しており、端末によってアクセスされると、識別情報およびパスワードの入力を促し、参加者により使用される端末から入力された識別情報およびパスワードそれぞれが、保持していた識別情報およびパスワードと一致すると、端末にアクセスを許可し、映像を端末に対してリアルタイムで配信する。
【０００８】
「婚礼に関連する催事」とは、結婚式、披露宴、２次会のパーティなど、結婚、婚礼に関するさまざまな催しをいう。また、「婚礼の主催者」とは、新郎、新婦の少なくとも一方など、婚礼を主体的に執り行うものをいう。
この態様によると、実際に婚礼に関連する催事に参加できない知人、友人に対し、識別情報およびパスワードが記載された招待状を送付することにより、サーバへのアクセス権を付与し、催事の様子をリアルタイムで中継することができる。
【０００９】
サーバは、参加者からのメッセージを格納するための記憶領域を含んでもよい。サーバは、アクセスを許可した参加者により使用される端末に対して、電子的なメッセージの送信を許可し、送信されたメッセージを記憶領域に格納してもよい。
この場合、催事の前もしくは後の所定の期間内に送付されたメッセージを格納することにより、催事の主催者、あるいは別の参加者が、メッセージを閲覧することが可能となる。さらに、同じサーバに映像と、メッセージという関連する情報を集約することができる。
【００１０】
サーバは、アクセスを許可した参加者により使用される端末を、入力された識別情報をもとに、複数のグループに分類する判定部をさらに含んでもよい。サーバは、メッセージをグループごとに分類して記憶領域に格納するとともに、同一のグループに分類された端末に対して、そのグループに対応するメッセージへのアクセスを許可してもよい。
グループ分けは、たとえば、「新郎側」と「新婦側」であってもよいし、「親族」と「知人、友人」であってもよく、参加者を何らかの属性にもとづいて分類したものであればよい。この場合、同一のグループでメッセージを共有することができる。
【００１１】
サーバは、撮影された映像を格納し、催事の後に、参加者により使用される端末によりアクセスされると、識別情報およびパスワードの入力を促し、参加者により使用される端末から入力された識別情報およびパスワードそれぞれが、保持していた識別情報およびパスワードと一致すると、端末にアクセスを許可し、端末からの指示にもとづいて、撮影された映像を配信してもよい。
この場合、参加者からの要望により、オンデマンドで映像を配信することができるため、催事の時刻に、端末を利用できなかった参加者や、改めて映像の視聴を望む参加者に対して、催事の映像を提供することができる。
【００１２】
これから婚礼が予定されている将来の主催者により使用される端末をさらに備えてもよい。サーバの記憶領域は、前記撮影された映像であって、前記主催者からの許可が得られたものを、当該映像に写る事物に対する付加的な情報を電子的に付与した状態にて、複数、蓄積して格納し、サーバは、将来の主催者であって、所定のアクセス権を有する者により利用される端末に対して、蓄積された映像へのアクセスを許可し、将来の主催者により使用される端末は、蓄積された映像を再生するとともに、その映像に付与された付加的な情報を表示し、将来の主催者に対して、催事の料金に影響する項目について、いくつかの選択肢を表示し、選択された選択肢にもとづき、将来の主催者が希望する形式に対応する催事の費用の見積もりを算出して表示してもよい。
この場合、これから結婚式や披露宴会場を選ぶカップル（すなわち婚礼が予定されている将来の主催者）に対して、より具体的に結婚式場等の情報を提示することができるとともに、将来の主催者が、映像および付加的な情報をもとに、いくつかの選択肢を選択することにより、見積もりをとることができる。
【００１３】
本発明の別によれば、婚礼に関連する催事の映像配信方法が提供される。この方法は、所定のメンバーに、電子的あるいは有体物として形成された招待状を送付するステップと、催事の様子を映像としてネットワークに接続されたサーバに格納するステップと、招待状を受けたメンバーが、招待状に記載された情報にもとづき、ネットワークを通じてサーバにアクセスし、格納された映像を取得し、催事の様子をリアルタイムにて視聴するステップと、を備える。
【００１４】
招待状により、新郎側と新婦側のメンバーにそれぞれ異なる情報を与え、新郎側と新婦側のメンバーで、取得可能な情報を異ならしめてもよい。
招待状には、少なくとも、サーバにアクセスするためのアカウントと、パスワードが記載されていてもよい。
【００１５】
なお、以上の構成要素の任意の組合せや、本発明の構成要素や表現を、方法、装置、システム、コンピュータプログラム、コンピュータプログラムを格納した記録媒体、データ構造などの間で相互に置換したものもまた、本発明の態様として有効である。
【発明の効果】
【００１６】
本発明によれば、リアルタイムでの催事の配信が可能となる。
【発明を実施するための最良の形態】
【００１７】
まず、本発明の実施の形態の概略を説明する。結婚を予定している新郎および新婦は、結婚式場を予約するとともに、以下で説明する結婚式に関連するサービスを提供する結婚サービス提供運営者（以下、単に運営者ともいう）と契約する。運営者は、インターネットに接続されたサーバを用意し、このサーバに対するアクセス権を、新郎および新婦に与える。以後、このサーバに対するアクセス権を付与する権限は、新郎、新婦に与えられる。
【００１８】
運営者は、結婚式の当日に、カメラおよびマイクの少なくとも一方、好ましくは両方を結婚式場に配置し、結婚式の様子を撮影、録音し、リアルタイムでサーバに格納する。サーバは、映像（音声）配信のためのバッファとして機能する。
【００１９】
一方で、新郎、新婦は、実際に結婚式に招待した人以外で、リアルタイムにて結婚式の様子を見て欲しい親族、友人たちに、サーバに対するアクセス権を付与する。アクセス権の付与は、電子メールなどの電子的な招待状、あるいは印刷物や手書きによる物理的な招待状によって行われる。招待状には、サーバのインターネット上のアドレスが、ＵＲＬ（Ｕｎｉｆｏｒｍ  Ｒｅｓｏｕｒｃｅ  Ｌｏｃａｔｏｒ）として記載されるとともに、ＩＤ（識別情報）およびパスワードなど、アクセス認証に必要な事項が記載されている。
【００２０】
招待状を受け取った親族、友人は、結婚式の当日、ＵＲＬにより指定されるサーバにアクセスし、ＩＤおよびパスワードなどを入力して、ログインする。ログインを許可された人は、結婚式の様子をリアルタイムで見ることができ、擬似的に結婚式に参加することが可能となる。同様にして、披露宴、パーティなどについても、新郎や新婦の希望に応じて、同様に、リアルタイムの映像配信を行うことができる。
【００２１】
以下、実施の形態に係る映像配信サービスについて詳細に説明する。この実施の形態では、結婚式の映像配信を行う場合について説明するが、披露宴や２次会などのパーティであっても同様である。また、以下の実施の形態では、アクセス権を付与するための招待状は電子メールによって送付される場合を例に説明するが、紙などの有体物として形成される場合であっても、同様である。
【００２２】
図１は、実施の形態に係る映像配信サービスのシステムを示す図である。システム１００は、カメラ１０、マイク１２、サーバ２０、ネットワーク３０、クライアント端末４０を備える。カメラ１０、マイク１２、サーバ２０は、システムの運営者側が管理、運営するブロックであり、クライアント端末４０は、親族、友人など（以下、単に参加者５２とよぶ）が実際に操作するコンピュータ、携帯電話端末、ＰＤＡ（Ｐｅｒｓｏｎａｌ  Ｄｉｇｉｔａｌ  Ａｓｓｉｓｔａｎｔ）等である。図１には、クライアント端末４０が１つだけ示されるが、実際には参加者５２ごとの複数の端末がネットワーク３０に接続される。
【００２３】
カメラ１０、マイク１２は、結婚式の様子を撮影するために設けられており、直接的に、あるいは別の端末を介して間接的にサーバ２０と接続されており、サーバ２０はインターネット等のネットワーク３０と接続されている。また、クライアント端末４０もネットワーク３０と接続される。
【００２４】
運営者は、結婚式場に、カメラ１０およびマイク１２を配置する。カメラ１０およびマイク１２はそれぞれ１台づつであってもよいし、複数台設置されていてもよい。また、カメラ１０、マイク１２は、所定位置に固定されていてもよいし、人間によって移動されてもよい。カメラ１０、マイク１２によって記録された映像、音声（以下、単に映像ＭＯＶという）は、既知の動画圧縮技術、たとえばＭＰＥＧ（Ｍｏｔｉｏｎ  Ｐｉｃｔｕｒｅ  Ｅｘｐｅｒｔ  Ｇｒｏｕｐ）方式等を用いて圧縮され、少なくとも一時的にサーバ２０のハードディスクやその他の記録媒体である記憶領域２１に格納される。
【００２５】
新郎新婦（主催者）５０は、予め、結婚式の参加者のリストを作成し、事前に電子メールＭＡＩＬによる招待状を、参加者５２に対して送付する。電子メールＭＡＩＬの招待状は、運営者がリストにもとづいて、一括して送付してもよいし、新郎新婦５０が各参加者に対して直接送付してもよい。その結果、参加者５２は、結婚式の事前に電子メールによる招待状を受け取っている。この電子メールＭＡＩＬには、少なくとも、（ａ）結婚式の日時、（ｂ）サーバのアドレスを示すＵＲＬ、（ｃ）ＩＤおよびパスワードが記載されていることが好ましい。その他、実際に結婚式が催される会場、新郎、新婦からのメッセージなどが記載されていてもよい。この電子メールＭＡＩＬによって、新郎、新婦から参加者に対して、サーバ２０へのアクセス権が付与されることになる。アクセス権の付与は図１に矢印（１）で示される。
【００２６】
クライアント端末４０は、電子メールＭＡＩＬに記載されたＵＲＬをクリックすることにより、サーバ２０にアクセスする。サーバ２０は、電子メールＭＡＩＬに記載されたＩＤおよびパスワードを保持しており、クライアント端末４０によってアクセスされると、ＩＤおよびパスワードの入力を促す。参加者５２により使用される端末４０から正しいＩＤおよびパスワードが入力されると、保持していた識別情報およびパスワードとの比較を行う。その結果、両者が一致すると、サーバ２０は、クライアント端末４０にアクセスを許可する。この機能は、ＣＰＵなどで構成される判定部２３によって実行される。ログインが許可されたクライアント端末４０からは、専用のホームページの閲覧が可能となる。参加者５２は、そのホームページのリンクをたどり、リアルタイムの結婚式映像配信の画面へと移動する。結婚式映像配信の画面へは、電子メールのＵＲＬからダイレクトに移動してもよい。この様子は、図１に矢印（２）で示される。
【００２７】
クライアント端末４０は、映像配信の画面を表示し、サーバ２０から配信される結婚式の様子を撮影した映像ＭＯＶを再生するためのプレイヤを起動する。サーバ２０はクライアント端末４０に対して、映像ＭＯＶをリアルタイムで配信し、参加者５２は、現在行われている結婚式の様子を視聴することが可能となる。この様子は、図１に矢印（３）で示される。なお、結婚式場に複数のカメラ１０が設けられている場合、複数の映像を同時に配信してもよいし、参加者５２が使用するクライアント端末４０により指定された映像を配信してもよい。
【００２８】
以上の説明では、映像をリアルタイムで配信する場合について説明したが、事後的に配信してもよい。この場合、運営者は、サーバ２０に格納した映像を、参加者５２からの要求によって配信する。このような映像配信は、オンデマンド配信などとして知られる技術を用いることにおり実現することができる。なお、主催者である新郎新婦５０と、複数の参加者によるサーバ２０へのアクセス権の付与、管理などについては、上記特許文献１に記載される技術を利用してもよい。
【００２９】
図２は、図１のシステムにより実現される映像配信技術のフローチャートである。まず、ＩＤおよびパスワード付きの招待状（アクセス権）が所定の参加者に配布される（Ｓ１０）。続いて、事業者側が、カメラ１０によって結婚式の様子を撮影し、サーバ２０に格納する（Ｓ１２）。Ｓ１０にてＩＤおよびパスワードを取得した参加者がサーバ２０にアクセスする（Ｓ１４）。続いて、ＩＤおよびパスワードによる認証を行い（Ｓ１６）、認証が通れば（ＰＡＳＳ）、映像ＭＯＶの配信を開始し（Ｓ１８）、認証が失敗すれば（ＦＡＩＬ）、映像ＭＯＶの配信は行わない。
【００３０】
ここまでで、結婚式の映像ＭＯＶを参加者５２に対して一方的に配信するための技術について説明した。次に、逆方向の、すなわち参加者５２から新郎、新婦に対してメッセージＭＳＧを送付する技術について説明する。
【００３１】
参加者５２は、電子メールに記載されたＵＲＬから、サーバ２０にアクセスし、所定のホームページにアクセスする。サーバ２０は、映像ＭＯＶを格納する領域２１に加えて、参加者５２からのメッセージＭＳＧを格納する領域２２を含んでいる。サーバ２０によって表示されるホームページには、新郎新婦５０に対する祝電、メッセージ（以下、単にメッセージＭＳＧともいう）を受け付ける画面が用意されている。
【００３２】
サーバ２０は、アクセスを許可した参加者５２により使用されるクライアント端末４０に対して、電子的なメッセージＭＳＧの作成、送信を許可し、送信されたメッセージＭＳＧを記憶領域２２に格納する。参加者５２は、テキストデータによってメッセージを作成してもよいし、デジタルビデオカメラ、デジタルスチルカメラによって撮影した動画、静止画を利用して、メッセージＭＳＧを作成してもよい。参加者５２が作成したメッセージＭＳＧは、サーバ２０の領域２２に格納される。
【００３３】
サーバ２０に格納されたメッセージＭＳＧに対しては、新郎新婦５０にアクセス権が与えられており、新郎新婦５０は、所定のホームページにアクセスすることにより、参加者５２から送信されたメッセージＭＳＧを閲覧することが可能となる。新郎新婦５０による参加者５２からのメッセージＭＳＧの閲覧は、結婚式より前に行われてもよいし、結婚式当日、あるいは後日、行われてもよい。
【００３４】
さらに、サーバ２０に格納された参加者５２からのメッセージを、結婚式場や披露宴会場に配置された大型のスクリーン、あるいは小型のディスプレイ（図示せず）などを利用して、複数人で閲覧してもよい。従来では、結婚式に参加していない人は、電報を利用してメッセージを伝達していたが、このシステムによれば、より直接的にメッセージを伝えることが可能となる。さらに、クライアント端末４０側にカメラを設置することにより、クライアント端末４０を操作する参加者５２は、映像を利用してリアルタイムで、メッセージを伝えることができるとともに、メッセージに対する回答を、サーバ２０から配信される映像によって、リアルタイムで得ることができ、実際に結婚式に参加しているのと同等の感覚を味わうことができる。逆に新郎、新婦側から見れば、電報などによるお祝いのメッセージと比較して、より祝福されている感覚を得ることができる。
【００３５】
以上のように、本実施の形態に係るシステム１００によれば、実際に結婚式場に参列していない参加者５２であっても、リアルタイムで結婚式の映像を見ることが可能となる。さらに、所定の参加者５２に対してのみ、電子的、あるいは物理的な招待状によってアクセス権が付与されるため、本来、結婚式に参加すべきで無い人が、サーバ２０にアクセスして、映像を視聴するのを防止することができる。さらに、このシステム１００によれば、結婚式の映像、お祝いのメッセージなど、結婚式に関する情報が、ひとつのサーバに集約されるため、後に、ＤＶＤ等のメディアに映像やメッセージをまとめて記録する場合などに、情報の管理が簡易化されるという利点もある。
【００３６】
次に、上述したシステム１００の応用例について説明する。以下の応用例は、上述のシステム１００に対する付加機能を提供するものである。
【００３７】
（第１の応用例）
サーバ２０は、アクセスを許可した参加者５２により使用されるクライアント端末４０を、入力されたＩＤをもとに、複数のグループに分類する。サーバ２０の判定部２３は、この機能を実行する。複数のグループとは、たとえば、「新郎側」、「新婦側」別の友人、知人といったグループ分けである。サーバ２０は、クライアント端末４０から送信されるメッセージＭＳＧを、グループごとに分類して記憶領域２２に格納する。分類をともなう格納は、必ずしも物理的に分割された領域にデータが格納されることを意味するものではなく、どのメッセージＭＳＧがどのグループに属するかが判定できる形式にて格納されればよい。
【００３８】
サーバ２０は、同一のグループに分類された端末４０に対して、そのグループに対応するメッセージＭＳＧへのアクセスを許可する。たとえば、第１グループが「新郎側の知人、友人」であり、第２グループが「新婦側の知人、友人」であった場合、新郎側の知人からのメッセージＭＳＧは、第１グループのメッセージとして格納され、新婦側の知人、友人からのメッセージＭＳＧは、第２グループのメッセージとして格納される。第１グループのメッセージには、新郎およびその知人、友人のみがアクセス可能であり、第２グループのメッセージには、新婦およびその知人、友人のみがアクセス可能とされる。さらに、場合によっては、新郎のみが第１グループにアクセス可能とし、新婦のみが第２グループにアクセス可能としてもよい。すなわち、サーバ２０は、グループごとに異なるアクセス権を設定する。
【００３９】
気持ちを伝えるためのメッセージは、知らない人間に読まれることを前提とすると、本来伝えたい思いが書けなくなってしまう場合がある。これに対して、グループ分けがなされている場合には、そのメッセージの読み手が限定されることになるため、メッセージを作成しやすくなるという利点がある。
【００４０】
（第２の応用例）
第２の応用例は、撮影した映像の有効利用に関するものである。結婚を予定しているカップルは、結婚式に先立ち、結婚式場や披露宴を探すことになる。この場合に、実際に結婚式や披露宴が行われているときの映像をみることができれば、結婚式場などの選定に大いに役に立つこととなる。
【００４１】
第２の応用例においては、図１のクライアント端末４２は、結婚が予定されている将来の新郎新婦（主催者）が使用するものとする。サーバ２０の記憶領域２１には、過去に行われた主催者の異なる結婚式において撮影された映像ＭＯＶであって、各主催者からの許可が得られたものが蓄積されている。ビジネスの観点からは、主催者からの許可を得るために、何らかのインセンティブ、たとえば、結婚式の費用の値引きなどを与えてもよい。
【００４２】
撮影された複数の映像ＭＯＶは、形式（神前式、キリスト教式、人前式、仏前式）、会場、料理、時間、人数の規模などが異なる多様なものであることが望ましい。運営者は、形式、会場などを項目立てし、各映像の項目を記録し、付加的な情報として映像に追加する。
【００４３】
サーバ２０は、将来の主催者５０であって、所定のアクセス権を有する者が利用するクライアント端末４２に対して、蓄積された映像へのアクセスを許可する。将来の主催者５０により使用されるクライアント端末４２は、蓄積された映像を再生するとともに、その映像に付与された付加的な情報を表示する。付加的な情報の表示は、形式の別、会場の名称、場所、料理の種類、式の時間、規模などの項目である。クライアント端末４２は、将来の主催者５０に対して、催事の料金に影響する項目（たとえば、会場や料理の種類等）について、想定されるいくつかの選択肢を表示する。将来の主催者５０は、選択された選択肢から希望のものを選択する。サーバ２０は、将来の主催者５０の選択結果にもとづいて見積もりを概算し、表示する。見積もりの概算は、サーバ２０が自ら有する情報にもとづいて行ってもよい。あるいは、サーバ２０は、運営者と提携するホテルやレストランなどの会場が管理するサーバやコンピュータに、選択された選択肢を、電子的に送信し、各ホテルやレストランは、送信された情報をもとに見積もりを作成し、サーバ２０または将来の主催者５０により使用されるクライアント端末４２に送信してもよい。
【００４４】
また、サーバ２０は、将来の主催者５０による選択の結果に近い条件で行われた結婚式の映像を、付加的な情報を参照することにより検索し、再生してもよい。これにより、将来の主催者５０は、自分たちの結婚式をより正確にシミュレーションすることが可能となる。さらに、クライアント端末４２は、将来の主催者５０が閲覧した映像に関するアンケートを提示してもよい。たとえば、どの会場が気に入ったか、どの料理に関心があるかなどを集計することにより、結婚式場を提供するホテル、レストランなどに、フィードバックすることが可能となる。
【００４５】
実施の形態にもとづき、本発明を説明したが、実施の形態は、本発明の原理、応用を示しているにすぎないことはいうまでもなく、実施の形態には、請求の範囲に規定された本発明の思想を離脱しない範囲において、多くの変形例や配置の変更が可能であることはいうまでもない。
【図面の簡単な説明】
【００４６】
【図１】実施の形態に係る映像配信サービスのシステムを示す図である。
【図２】図１のシステムにより実現される映像配信技術のフローチャートである。
【符号の説明】
【００４７】
１０  カメラ、  １２  マイク、  ２０  サーバ、  ３０  ネットワーク、  ４０  クライアント端末、  ５０  新郎新婦、  ５２  参加者、  １００  システム。
【図１】
2008017350.tif 000003
【図２】
2008017350.tif 000004